【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
光素子が実装される表面および裏面を有する樹脂製の成形体からなり、
上記成形体の表面に形成された複数の光ファイバ用の挿入溝と、
上記複数の挿入溝の一端ごとに位置し、且つ上記成形体の表面側に向かって広がるように傾斜する光反射面と、を備え、
上記成形体の表面には、実装すべき光素子と導通する電子部品を実装する凹溝または凹部が形成されている光素子用基板であって、
上記成形体の表面には、当該光素子用基板が実装される配線基板に形成された外部配線と接続される第２の表面配線が形成され、
上記複数の光ファイバ用の挿入溝ごとにおける一端側には、上記成形体の表面に対して直角で且つ垂直なファイバ停止面が、該ファイバ停止面の上辺と光反射面の最低部とが共通するように位置しており、
上記凹溝または凹部の深さは、該凹溝または凹部に実装される電子部品の上面と上記成形体の表面とがほぼ面一となるように設定されている、
ことを特徴とする光素子用基板。
【請求項２】
前記光反射面は、前記光ファイバ用の挿入溝に対し、平面視で直角にして前記表面に形成される反射溝の一部である、
ことを特徴とする請求項１に記載の光素子用基板。
【請求項３】
前記成形体の表面には、光反射面または該光反射面を含む反射溝の上方に実装すべき前記光素子と前記凹溝または凹部に実装すべき電子部品とを導通する第１の表面配線が形成されている、
ことを特徴とする請求項１または２に記載に記載の光素子用基板。
【手続補正２】
【補正対象書類名】明細書
【補正対象項目名】０００６
【補正方法】変更
【補正の内容】
【０００６】
本発明は、前記課題を解決するため、光ファイバ用の挿入溝と光路を変換する光反射面とを有し、且つ光素子および電子部品を実装するための光素子用基板に対し、樹脂による一体成形体を適用する、ことに着想して成されたものである。
即ち、本発明の光素子用基板は、光素子が実装される表面および裏面を有する樹脂製の成形体からなり、かかる成形体の表面に形成された複数の光ファイバ用の挿入溝と、かかる複数の挿入溝の一端ごとに位置し、且つ上記成形体の表面側に向かって広がるように傾斜する光反射面と、を備え、上記成形体の表面には、実装すべき光素子と導通する電子部品を実装する凹溝または凹部が形成されている光素子用基板であって、上記成形体の表面には、当該光素子用基板が実装される配線基板に形成された接続配線と接続される第２の表面配線が形成され、上記複数の光ファイバ用の挿入溝ごとにおける一端側には、上記成形体の表面に対して直角で且つ垂直なファイバ停止面が、該ファイバ停止面の上辺と光反射面の最低部とが共通するように位置しており、上記凹溝または凹部の深さは、該凹溝または凹部に実装される電子部品の上面と上記成形体の表面とがほぼ面一となるように設定されている、ことを特徴とする。
【手続補正３】
【補正対象書類名】明細書
【補正対象項目名】０００７
【補正方法】変更
【補正の内容】
【０００７】
前記光素子用基板は、射出成形金型によって一括製作できる樹脂製の成形体であるため、生産性が高く、結晶基板を異方性エッチングした従来の光ファイバ保持部材と同等の高い位置精度を有すると共に、結晶方位による制約がなくなるので、形状および全体の配置に関する自由度が著しく高くなる。更に、上記挿入溝ごとの一端に光反射面が位置するので、光ファイバを挿入溝に挿入することで、当該光ファイバの端面を光反射面に容易に接近させ得る。このため、従来の結晶基板を異方性エッチングした光ファイバ保持部材に比べて、光信号の伝送ロスを低減することが可能となる。しかも、前記挿入溝ごとの一端にファイバ停止面が位置するので、光ファイバを挿入溝に挿入し、その端面を前記停止面に突き当てるだけで、当該光ファイバの実装を所定位置に正確に行うことが容易となる。
従って、光ファイバと光反射面との位置合わせを精度良く確実に行えると共に、表面側に実装する電子部品を封止樹脂により容易に封止することも可能となる。
【手続補正４】
【補正対象書類名】明細書
【補正対象項目名】０００８
【補正方法】変更
【補正の内容】
【０００８】
尚、光ファイバ用の挿入溝は、一対の対称な傾斜面からなる断面ほぼＶ字形（例えば、底部の角度が６０度）の形態や、一対の対称な傾斜面または垂直壁面とこれらの底辺間の水平な平坦面とを有するほぼＵ字形の形態も含まれる。
また、前記光反射面は、前記表面に対し、例えば、傾斜角度が４５度の形態のほか、６０度、または３０度の傾斜角度、これらの間の傾斜角度の形態でも良い。
更に、前記凹溝は、前記反射面の長手方向にほぼ沿っており、平坦な底面の両側から前記表面に向かって立設する垂直面を有する形態のほか、平坦な底面の両側から前記表面に向かって広がる傾斜面を有する形態も含まれる。
また、前記凹部（キャビティ）は、平坦な底面の周辺から前記表面に向かって立設する垂直面を有する形態のほか、平坦な底面の周辺から前記表面に向かって広がる傾斜面を有する形態も含まれる。
更に、前記凹溝または凹部と反射面との間の表面には、反射面側に位置する段部を形成し、かかる段部の水平面に光素子を搭載する形態としても良い。これによる場合、かかる段部の上に実装される光素子の封止も容易に行い得る。
加えて、前記光素子は、発光素子、受光素子、および受・発光素子の何れかを指す。
【手続補正５】
【補正対象書類名】明細書
【補正対象項目名】００１１
【補正方法】変更
【補正の内容】
【００１１】
尚、前記反射溝は、前記表面に対し、傾斜角度が４５度の光反射面と、これと対称な傾斜面とからなる断面ほぼＶ字形（例えば、底部の角度が９０度）の形態、あるいは表面に対する傾斜角度が４５度〜６０度の光反射面と垂直面とからなる断面ほぼレ字形の形態が含まれる。
【手続補正６】
【補正対象書類名】明細書
【補正対象項目名】００１２
【補正方法】変更
【補正の内容】
【００１２】
更に、本発明には、前記成形体の表面には、光反射面または該光反射面を含む反射溝の上方に実装すべき前記光素子と前記凹溝または凹部に実装すべき電子部品とを導通する第１の表面配線が形成されている、光素子用基板も含まれる。
これによれば、前記光ファイバ中を伝送された光信号は、前記光反射面で反射され、受発光面から光素子内に取り込まれ、電気信号に変換されてから、第１の表面配線を介して、電子部品に送信され、所要の電気特性に調整された後、前記第２の表面配線を介して外部配線に送信される。一方、外部配線から送信された電気信号は、上記と逆の経路で光信号に変換され、光反射面で反射した後、光ファイバ中を伝送して行く。従って、遠距離間との通信を光信号で行い、且つ近距離間との通信を電気信号によって、情報通信を正確に行うことが可能となる。
【手続補正７】
【補正対象書類名】明細書
【補正対象項目名】００２１
【補正方法】変更
【補正の内容】
【００２１】
次いで、図７に示すように、段部９上の表面配線１８ごとの上に、複数のパッド２３を個別に形成し、これらの上に跨って、光素子２４を図示しないロウ材を介して実装する。かかる光素子２４の底面に露出する複数の受・発光面（図示せず）は、光反射面８の真上に位置している。このため、図７の中の矢印で示すように、光ファイバ２０のコア２２中を伝送された光信号は、光反射面８で直角に反射して垂直に上昇し、上記発光面から光素子２４中に進入する。かかる光路の方向は、挿入溝１０ごとのファイバ停止面１２で正確に位置決めされた４本の光ファイバ２０および光反射面８によって、位置ずれを生じにくくなる。
尚、光素子２４は、反射溝６の長手方向に沿った平面視が長方形を呈するほぼ直方体であり、内部に４つ（複数）の光・電気変換素子を内蔵している。また、光素子２４の上面は、成形体ｓの表面２ａ，２ｂとほぼ面一である。
【手続補正８】
【補正対象書類名】明細書
【補正対象項目名】００２５
【補正方法】変更
【補正の内容】
【００２５】
更に、ＩＣチップ２６は、凹溝１４あるいは凹部１６に実装され、光素子２４は、段部９に実装されるため、外力による不用意な損傷を防止でき、且つ後述する封止も容易となる。しかも、反射溝６、挿入溝１０、ファイバ停止面１２、および凹溝１４または凹部１６などを有する成形体ｓ，ｓａは、エポキシ樹脂などによる射出成形によって、形状および寸法精度が高く、従来の結晶基板に比べて効率良く安価に製作することができる。
従って、光素子用基板１，１ａによれば、光ファイバ２０と光反射面８と実装すべき光素子２４との位置合わせを精度良く確実に行え、光信号の位置ずれや信号の劣化による損失を低減でき、ＩＣチップ２６や光素子２４の防護ないし封止が容易にできると共に、安価に製作して提供することも可能となる。
【手続補正９】
【補正対象書類名】明細書
【補正対象項目名】００３４
【補正方法】変更
【補正の内容】
【００３４】
１，１ａ…………………光素子用基板
２，２ａ，２ｂ，２ｃ…表面
３…………………………裏面
６…………………………反射溝
８…………………………光反射面
１０………………………挿入溝
１２………………………ファイバ停止面
１４………………………凹溝
１６………………………凹部
１８………………………第１の表面配線
１９………………………第２の表面配線
２０………………………光ファイバ
ｓ，ｓａ…………………成形体